(57)【特許請求の範囲】
【請求項１】
ビューファインダ信号を生じる工程（Ｔ）と、
このビューファインダ信号が正しくフォーカシングされた際に、このビューファインダ信号中の輪郭を強調して、強調輪郭を得るようにする工程（Ｒ５，Ｒ９）と
を具えるビューファインダアパーチュア補正方法において、この方法が、
映像信号の周波数応答特性を変えることにより、前記強調輪郭の振幅を前記ビューファインダ信号のフレーム周波数で時間変調してこれら輪郭の可視性を高める変調工程（ＳＳ，Ｔ４）
を有することを特徴とするビューファインダアパーチュア補正方法。
【請求項２】
請求の範囲１に記載のビューファインダアパーチュア補正方法において、前記変調工程により水平方向の輪郭に影響を及ぼすことを特徴とするビューファインダアパーチュア補正方法。
【請求項３】
請求の範囲１に記載のビューファインダアパーチュア補正方法において、この方法が更に、
前記ビューファインダ信号の振幅を変調する為に、フレーム周波数を有する信号を前記ビューファインダ信号から抽出する工程（ＳＳ）
を有することを特徴とするビューファインダアパーチュア補正方法。
【請求項４】
ビューファインダ信号を生じる手段（Ｔ）と、
このビューファインダ信号が正しくフォーカシングされた際に、このビューファインダ信号中の輪郭を強調して、強調輪郭を得るようにする手段（Ｒ５，Ｒ９）と
を具えるビューファインダアパーチュア補正実行装置において、この装置が、
映像信号の周波数応答特性を変えることにより、前記強調輪郭の振幅を前記ビューファインダ信号のフレーム周波数で時間変調してこれら輪郭の可視性を高める手段（ＳＳ，Ｔ４）
を有することを特徴とするビューファインダアパーチュア補正実行装置。
【請求項５】
請求の範囲４に記載したビューファインダアパーチュア補正実行装置（Ｔ，Ｒ５，Ｒ９，ＳＳ，Ｔ４）と、
変調された強調輪郭を有する前記ビューファインダ信号を表示するビューファインダとを具えることを特徴とするカメラ。
【発明の詳細な説明】
【０００１】
本発明は、ビューファインダアパーチュア補正実行方法及び装置に関するものであり、更にこのような装置を有するカメラにも関するものである。
【０００２】
自動焦点構造を有さないカメラはしばしば、画像が正確にフォーカシングされた際に輪郭が強調されて現れるようにするビューファインダ信号に対するアパーチュア補正を用いている。これにより、カメラマンに正しいフォーカシングを指示する。米国特許第3,657,559号明細書に記載された方法又は1969年４月に発行された雑誌“ＳＭＰＴＥ”，Vol.78，No.4の第249〜255頁に記載された方法を用いてこのようなアパーチュア補正を得ることができる。
【０００３】
最近、携帯カメラはしばしば腰の高さに保持されている。このことは、ビューファインダがカメラマンから離れた距離にある為、カメラマンは、輪郭強調されたビューファインダ信号によるフォーカシングの正確さをもはや容易に判断できなくなるということを意味する。
【０００４】
本発明の目的は、特に、上述した問題を軽減することにある。この目的のために、本発明の第１の観点によれば、請求の範囲１に規定した方法と、請求の範囲４に規定した装置とを提供する。本発明の第２の観点によれば、請求の範囲５に規定したカメラを提供する。有利な実施例は請求の範囲の従属項に規定してある。
【０００５】
本発明の主たる観点によれば、ビューファインダ信号が正しくフォーカシングされた際に、このビューファインダ信号を強調して強調輪郭を得るビューファインダアパーチュア補正を提供する。約0.5mの距離から見た場合でも、これら輪郭の可視性を高めるために、従って正しいフォーカシングを良好に指示するために、強調輪郭を所定の周波数で変調する。
【０００６】
好適実施例は以下の認識に基づくものである。特にラインフリッカに対する目の感度を用いてフォーカシングを簡単化するのが有利である。目のこの特性は、画像の水平方向の輪郭を目に良好に見うる低周波で振幅変調することにより用いる。
【０００７】
本発明の上述した観点及びその他の観点は以下の実施例に関する説明から明らかになるであろう。
【０００８】
図面は、本発明によるビューファインダアパーチュア補正手段を有するカメラの一実施例を示す。
【０００９】
図面において、センサＳにより得られるカメラ信号はプリプロセッサＰＰにより前処理され、変圧器Ｔを介してビューファインダアパーチュア補正装置に供給される。変圧器Ｔの出力側には抵抗列Ｒ１〜Ｒ４が接続されている。抵抗Ｒ４にはキャパシタＣ１が並列に接続されている。コントラストは、抵抗列Ｒ１〜Ｒ３に並列に接続されている分圧器Ｒ５により制御される。この分圧器Ｒ５の摺動子はキャパシタＣ２を経てＰＮＰトランジスタＴ１のベースに接続されている。このトランジスタＴ１のベースと大地との間には電流源Ｉが接続されている。トランジスタＴ１のエミッタはＰＮＰトランジスタＴ２のベースに接続されているとともに抵抗Ｒ６を介して９Ｖの電源電圧点に接続されている。トランジスタＴ１及びＴ２のコレクタは接地されている。トランジスタＴ２のエミッタは抵抗Ｒ７を介して９Ｖの電源電圧点に接続されているとともに、抵抗Ｒ８，Ｒ１０と、キャパシタＣ５と、抵抗１２と、ダイオードＤとの直列回路を介して接地されている。キャパシタＣ５と抵抗Ｒ１２との相互接続点にはＮＰＮトランジスタＴ３のエミッタが接続されている。このトランジスタＴ３のコレクタは抵抗Ｒ１１を介して９Ｖの電源電圧点に接続されているとともにビューファインダＶＦに接続されている。このトランジスタＴ３のベースは、クリスプニング制御を行う分圧器Ｒ９の摺動子に接続されている。分圧器Ｒ９の第１主端子は抵抗Ｒ８及びＲ１０の相互接続点に接続されている。分圧器Ｒ９の第２主端子はキャパシタＣ３及びＣ４の直列回路を経て接地されている。変圧器Ｔの出力端には同期分離器ＳＳの入力端が接続されている。
【００１０】
上述までのビューファインダアパーチュア補正装置は従来の技術に相当するものである。本発明によれば、２５Hz（ＰＡＬ）又は３０Hz（ＮＴＳＣ）の周波数を有する同期分離器ＳＳのフィールド識別出力信号を抵抗Ｒ１３を介してトランジスタＴ４のゲートに供給する。このトランジスタＴ４の主端子はキャパシタＣ３及びＣ４の相互接続点と大地とにそれぞれ接続されている。このトランジスタＴ４のゲートと５Ｖの電源電圧点との間にはスイッチＳＷが接続されている。このスイッチＳＷが閉成されていると、ビューファインダアパーチュア補正装置の動作は従来の装置の動作と同様である。しかし、スイッチＳＷが開放していると、画像中の水平方向の輪郭が、カメラが正しくフォーカシングされた際にフレーム周波数で突然見うるようになり、従って携帯カメラを腰の高さに保持した際の目−腰間距離にある場合でも正しいフォーカシングを従来の場合よりも良好に見うるようになる。従って、このスイッチＳＷは、本発明の機能を達成させる時に開放させること明らかである。
【００１１】
上述した実施例は本発明を制限するものではなく、当業者にとっては本発明の範囲を逸脱することなく種々の変形例が可能であることに注意すべきである。本発明の適用は水平方向の輪郭のみに限定されるものではない。所定の周波数は明瞭に見うるいかなる可視周波数とすることもでき、フィールド周波数もこれに属する。請求の範囲に括弧付きで示したいかなる参照符号もこの請求の範囲を制限するものではない。本発明は複数の個別の素子を有するハードウェアによって、又適切にプログラミングしたコンピュータによって実行しうる。複数の手段を掲げている装置の請求の範囲では、これらの手段の幾つかをハードウェアの１つの同一の構成要素を以て構成しうる。
【図面の簡単な説明】
【００１２】
【図１】図面は、本発明によるビューファインダアパーチュア補正手段を有するカメラの一実施例を示す。
0004135815.tif 000002